(57)【要約】【課題】搭載するエンジン重量の変更などによりエンジンマウントの分担加重が大きく変化した場合であっても、ラバーを変更することなく、アッパプレートとロアプレートとの間のクリアランスを適正に保つことができるエンジンマウントの取付構造を提供する。【解決手段】エンジン側に接続されるアッパプレートと、車体を構成する一対の車体フレーム側に接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントの車体への取付構造において、前記エンジンマウントの分担加重に応じて、エンジンマウントとエンジン側との接続位置が、前記分担加重が大きいほど前記一対の車体フレームの内側に変位して、前記エンジンの支持時に前記アッパプレートとロアプレートが接触しない位置となるように、エンジンマウントを前記サイドフレームに取り付ける。【選択図】  図３
2011131658.tif 000002
【特許請求の範囲】
【請求項１】
エンジン側に接続されるアッパプレートと、車体を構成する一対の車体フレーム側に接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントの車体への取付構造において、
前記エンジンマウントの分担加重に応じて、エンジンマウントとエンジン側との接続位置が、前記分担加重が大きいほど前記一対の車体フレームの内側に変位して、前記エンジンの支持時に前記アッパプレートとロアプレートが接触しない位置となるように、エンジンマウントを前記サイドフレームに取り付けることを特徴とするエンジンマウントの車体への取付構造。
【請求項２】
前記エンジンマウントとエンジン側とは、
エンジンマウントに設けた棒状の支持部材を、エンジン側に設けた孔部に挿入して接続するものであって、
前記支持部材の前記孔部に挿入する先端部と、前記孔部の支持部材挿入側とに、それぞれテーパ部を設けたことを特徴とする請求項１記載のエンジンマウントの車体への取付構造。
【発明の詳細な説明】
【技術分野】
【０００１】
本発明は、エンジン側に接続されるアッパプレートと、車体を構成する一対の車体フレーム側に接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントの車体への取付構造に関するものである。
【背景技術】
【０００２】
トラックなどの車両においては、エンジンを車両本体に固定する必要がある。エンジンを車両本体に固定するための技術として、エンジンフロントマウントとエンジンリヤマウントを利用することが知られている。
【０００３】
図５は従来のエンジンフロントマウントの構成及び取付構造を説明する説明図である。図５の上図を用いて、従来のエンジンフロントマウントの概略構成について説明する。
エンジンフロントマウント４は、エンジン（不図示）を下方から支持するものであって、車両の左右両側部に前後方向に延在するサイドフレーム７に支持されている。また、それぞれコの字状に形成されたアッパプレート８と、ロアプレート９とが組合わされている。アッパプレート８には、ステー１６を介して支持部材１５が連結されている。支持部材１５にエンジンを上側から連結することでエンジンを支持することができる。また、ロアプレート９は、ステー１２を介して固定部材１３に連結されており、該固定部材１３は、サイドフレーム７に取り付けられている。
【０００４】
また、アッパプレート８とロアプレート９との間には弾性変形可能なラバー（不図示）が設けられている。アッパプレート８とロアプレート９とは互いに直接には結合しておらず、前記ラバーを介して結合している。そして、エンジン３とフレーム７との間の振動が前記ラバーによって吸収される。
このようなエンジンフロントマウントは例えば特許文献１などに開示されている。
【０００５】
このような構成のエンジンフロントマウント４においては、アッパプレート８とロアプレート９との間には、２箇所にクリアランスが生じる。ここで、該２箇所のクリアランスのうち、上側に生じるクリアランスを車両上側クリアランス２１、下側に生じるクリアランスを車両下側クリアランス２２とする。支持部材１５にエンジンを連結したエンジン支持（搭載）時に、車両上側クリアランス２１と、車両下側クリアランス２２とが等しくなることが好ましい。該クリアランスが適正でないと、前記ラバーに設けた大変位抑制のためのロールストッパ（不図示）の当たり頻度の増大等によりキャブ振動悪化等の弊害が生じる可能性があるためである。
【０００６】
そのため、エンジン搭載時に車両上側クリアランス２１と、車両下側クリアランス２２とを等しくするために、図５の上図に示したようにエンジン非搭載時には車両下側クリアランス２２を０となり、エンジン搭載後に前記ラバーが弾性変形してアッパプレート８が変位し図５の中図に示したように車両上側クリアランス２１と車両下側クリアランス２２とが等しくなるような前記ラバーを選定する。
【０００７】
しかしながら、搭載するエンジンを変更してエンジンフロントマウントの分担加重が大きく変わった場合、前記ラバーにかかる力が変わり、前述の選定したラバーではエンジン搭載後に車両上側クリアランスと車両下側クリアランスを等しく保つことができない。例えば、エンジンを変更してエンジンフロントマウントの分担加重が大きく増えた場合、前記ラバーにかかる力が大きくなって弾性変形が大きくなることで、アッパプレートが大きく変位し、図５の下図に示したように車両上側クリアランス２１を確保することができず、キャブ振動悪化等の弊害が生じる可能性がある。
【先行技術文献】
【特許文献】
【０００８】
【特許文献１】実公平７−３５８２６号公報
【発明の概要】
【発明が解決しようとする課題】
【０００９】
そこで、例えばエンジンフロントマウントの分担加重が大きく増えた場合には、前記ラバーとしてばね定数の高いものを選定することが考えられる。しかし、単純にラバーのばね定数の高くすると、それに連れてラバーの硬度も上がる。ラバーの硬度が上がるとエンジンの振動をラバーで吸収しきれず、キャブ振動等の弊害が生じる可能性がある。
【００１０】
そのため、エンジンフロントマウントの分担加重が大きく変化する場合には、変化した分担荷重に対して前記車両上側クリアランス、車両下側クリアランスを適正化できるラバーを新たに開発する必要があった。
しかしながら、新たなラバーの開発には、多大な費用と時間を要するという問題がある。
【００１１】
従って、本発明はかかる従来技術の問題に鑑み、エンジン側に接続されるアッパプレートと、車体を構成する一対の車体フレーム側に接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントの車体への取付構造において、搭載するエンジン重量の変更などによりエンジンマウントの分担加重が大きく変化した場合であっても、前記ラバーを変更することなく、アッパプレートとロアプレートとの間のクリアランスを適正に保つことができるエンジンマウントの取付構造を提供することを目的とする。
【課題を解決するための手段】
【００１２】
上記の課題を解決するために、エンジン側に接続されるアッパプレートと、車体を構成する一対の車体フレーム側に接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントの車体への取付構造において、前記エンジンマウントの分担加重に応じて、エンジンマウントとエンジン側との接続位置が、前記分担加重が大きいほど前記一対の車体フレームの内側に変位して、前記エンジンの支持時に前記アッパプレートとロアプレートが接触しない位置となるように、エンジンマウントを前記サイドフレームに取り付けることを特徴とする。
【００１３】
例えば、支持するエンジンの変更などによって前記エンジンマウントの１つであって車両の前後方向に延設されたサイドフレームに取り付けられるエンジンフロントマウントの分担加重が大きく増加する場合には、前記接続位置が前記分担加重に応じて前記増加前よりも車両内側方向となるように、サイドフレームにエンジンフロントマウントに取り付ける。これにより、エンジンフロントマウントの分担加重が大きく増加するときには、サイドフレームが開く方向のばね定数を利用して、前記クリアランスを最適化することができる。
従って、搭載するエンジンの変更などによってエンジンマウントの分担加重が変更されたときであっても、前記ラバーを変更することなく、前記接続位置の調整をするだけでアッパプレートとロアプレートとの間のクリアランスを適正に保つことができる。なお、前記クリアランスは、アッパプレートとロアプレートが接触しないように保っていればよいが、キャブ振動悪化等の弊害の発生防止の観点から、図５に示した車両上側クリアランスと車両下側クリアランスが等しくなるように保つことが好ましい。
【００１４】
また、前記エンジンマウントとエンジン側とは、エンジンマウントに設けた棒状の支持部材を、エンジン側に設けた孔部に挿入して接続するものであって、前記支持部材の前記孔部に挿入する先端部と、前記孔部の支持部材挿入側とに、それぞれテーパ部を設けるとよい。前記テーパ部を設けることで、前記接続位置を変更するために、前記支持部材の位置を移動させてエンジンフロントマウントをサイドフレームに取り付けた場合であっても、スムースに前記孔部に前記支持部材を挿入することができる。
【発明の効果】
【００１５】
以上記載のごとく本発明によれば、エンジン側に接続されるアッパプレートと、車体を構成するサイドフレームに接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントの車体への取付構造において、搭載するエンジン重量の変更などによりエンジンマウントの分担加重が大きく変化した場合であっても、前記ラバーを変更することなく、アッパプレートとロアプレートとの間のクリアランスを適正に保つことができる。
【図面の簡単な説明】
【００１６】
【図１】実施例に係るエンジンマウントが適用されるトラックの前部を概略的に示す構成図である。
【図２】実施例に係るエンジンフロントマウント周辺を車両前方から見た正面図である。
【図３】実施例におけるエンジンフロントマウントの取付構造を説明する説明図である。
【図４】エンジンに取り付けられたステーと支持部材の近傍の拡大図である。
【図５】従来のエンジンフロントマウントの構成及び取付構造を説明する説明図である。
【発明を実施するための形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例】
【００１８】
図１は、実施例に係るエンジンマウントが適用されるトラックの前部を概略的に示す構成図である。
図１に示したトラック（車両）１においては、キャブ２の下にエンジン３が配置されており、エンジン３は車両本体に固定されている。
【００１９】
エンジン３を車両本体に固定するために、エンジンフロントマウント４と、エンジンリヤマウント５が用いられている。エンジンフロントマウント４は、エンジン３の前部両脇に配置されており、車両の左右両側部に前後方向に延びるサイドフレーム７に支持されるとともに、エンジン３を下方から支持している。また、エンジンリヤマウント５は、エンジン３の後部両脇に配置されており、サイドフレーム７に支持されるとともに、エンジン３を下方から支持している。なお、図１においては車体左側のみのエンジンフロントマウント４、エンジンリヤマウント５が示されている。
【００２０】
図２は、実施例に係るエンジンフロントマウント周辺を車両前方から見た正面図である。
図２に示すように、エンジンフロントマウント４は、エンジン３と車両の左右両側部に延びるサイドフレーム７との間に設けられている。
エンジンフロントマウント４においては、それぞれコの字状に形成され、エンジン３側に位置するアッパプレート８と、サイドフレーム７側に位置するロアプレートが組み合わされている。
【００２１】
アッパプレート８には、ステー１６を介して上方を向いた棒状の支持部材１５が設けられている。
また、ロアプレート９は、ステー１２を介して固定部材１３に連結されており、該固定部材１３はサイドフレーム７に取り付けられている。
【００２２】
また、アッパプレート８とロアプレート９との間には弾性変形可能なラバー１４が設けられており、アッパプレート８とロアプレート９とは互いに直接結合せず、ラバー１４を介して結合している。このような構成においては、アッパプレート８が前記ラバーの弾性変形により変位することができる。そして、エンジン３とフレーム７との間の振動がラバーによって吸収される。
【００２３】
このような構成のエンジンフロントマウント４においては、支持部材１５がエンジン３に取り付けられたステー１１の開孔部（不図示）に挿入されるように、ステー１１をステー１６上に載置することで、エンジン３がエンジンフロントマウント４を介して車両本体側のサイドフレーム７に支持される。
【００２４】
次に、図３を用いて、エンジンフロントマウント４の取付構造について説明する。
図３は、実施例におけるエンジンフロントマウントの取付構造を説明する説明図である。
【００２５】
このような構成のエンジンフロントマウント４においては、アッパプレート８とロアプレート９との間には、車両上側クリアランス２１と車両下側クリアランス２２とが生じる。キャブ振動悪化等の弊害の発生防止の観点から、該車両上側クリアランス２１と車両下側クリアランス２２とがエンジン搭載時に等しくなることが好ましい。
ここで、エンジン搭載時には、エンジンの重量によりラバー１４に力が加わり、該力によってラバー１４が弾性変形してアッパプレート８が変位する。この弾性変形によるアッパプレート８の変位により、車両上側クリアランス２１と車両下側クリアランス２２とが等しくなるようなばね定数を有するラバー１４を選定する。
【００２６】
前述のようにラバーを選定すると、エンジン非搭載時には図３の上図に示したように車両下側クリアランス２２が０となる。そして、エンジン搭載後にアッパプレート８がラバー１４の弾性変形により変位して車両上側クリアランス２１と下側クリアランス２２とが等しい位置で停止する。
【００２７】
このようなエンジンフロントマウント４において、搭載するエンジン３を変更してフロントマウント４の分担加重が大きく増加する場合の取付構造について説明する。この場合、図３の中図に示したように、エンジン非搭載時における支持部材１５の位置を、エンジン変更前よりも車両内側になるように、エンジンフロントマウント４をサイドフレーム７に取り付ける。即ち、エンジン変更前のサイドフレーム７と固定部材１３とのラップ部分（図３の上図におけるａ）よりも、エンジン変更後のサイドフレーム７と固定部材とのラップ部分（図３の中図におけるｂ）が小さくなるように、サイドフレーム７に固定部材１３を取り付ける。このとき、図３の中図に示すように、車両下側クリアランス２２が０となっている。
【００２８】
このとき、前述のフロントマウント４の分担加重が大きく増加するような変更したエンジンを搭載すると、大きく増加した分担加重によってサイドフレーム７が車両外側方向に開く。
サイドフレーム７が車両外側方向に開くことにより、支持部材１５も車両外側方向にずれて、エンジン変更前の位置に移動する。そして、車両上部クリアランス２１と車両下部クリアランス２２が等しくなる。
【００２９】
即ち、搭載するエンジンの変更などによってエンジンフロントマウント４の分担加重が大きく増加するときには、支持部材１５がエンジンフロントマウント４の分担加重の増加前よりも車両内側方向に、前記分担加重に応じた位置に、サイドフレーム７にエンジンフロントマウント４（固定部材１３）を取り付ける。これにより、エンジンフロントマウント４の分担加重が大きく増加するときには、サイドフレーム７が開く方向のばね定数を利用して、車両上側クリアランス２１及び車両下側クリアランス２２を最適化することができる。
【００３０】
図４は、エンジン３に取り付けられたステー１１と支持部材１５の近傍の拡大図である。図４に示すように、ステー１１の開孔部の支持部材１５挿入側と、支持部材１５の先端部それぞれをテーパ状にしておくと、前述のように支持部材の位置を移動させてエンジンフロントマウント４をサイドフレーム７に取り付けた場合であって、例えばそれぞれの中心がｄだけずれた場合であっても、スムースにステー１１の開孔部に支持部材１５を挿入することができる。
【００３１】
また、固定部材１３とサイドフレーム７の取り付けを、固定部材１３とサイドフレーム７それぞれに固定用の開孔を設けておき、双方の開孔を対向させてボルトなどを挿入して固定する場合、固定不在１３とサイドフレーム７に設ける開孔の何れか一方又は両方を車両左右方向が長手方向となる長穴にしておくとよい。これにより、エンジンフロントマウント４（固定部材１３）のサイドフレーム７への取付位置調整による支持部材１５の位置調整が簡単になる。
従って、例えば車両毎などに前記取付位置調整を行えば、車両毎に車両上側クリアランス２１及び車両下側クリアランス２２の最適化を簡単に実施することができる。
【００３２】
なお、本実施例においては、エンジンフロントマウント４について説明したが、エンジンリヤマウント５など、エンジン側に接続されるアッパプレートと、車体を構成する一対の車体フレーム側に接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントについても同様に本発明を適用することができる。
【産業上の利用可能性】
【００３３】
エンジン側に接続されるアッパプレートと、車体を構成するサイドフレームに接続されるロアプレートと、前記アッパプレートとロアプレートとの間に介在する弾性変形可能なラバーとを有し、前記アッパプレートが前記ラバーの弾性変形により変位することが可能であって、エンジンを下側から支持するエンジンマウントの車体への取付構造において、搭載するエンジン重量の変更などによりエンジンマウントの分担加重が大きく変化した場合であっても、前記ラバーを変更することなく、アッパプレートとロアプレートとの間のクリアランスを適正に保つことができるエンジンマウントの取付構造として利用することができる。
【符号の説明】
【００３４】
３  エンジン
４  エンジンフロントマウント
５  エンジンリヤマウント
７  サイドフレーム
８  アッパプレート
９  ロアプレート
１１  ステー
１３  ブラケット
１４  ラバー
１５  支持部材
２１  車両上側クリアランス
２２  車両下側クリアランス
【図１】
2011131658.tif 000003
【図２】
2011131658.tif 000004
【図３】
2011131658.tif 000005
【図４】
2011131658.tif 000006
【図５】
2011131658.tif 000007